(57)【要約】【課題】一旦装着体を頭部に装着すると、光源部、検出部の位置を変えることが難しく、任意の位置の脳機能を計測するには適さない。【解決手段】人体頭部に照射する赤外光を生成する光源部と、人体頭部内で拡散反射し、人体頭部の１つ以上の位置から出射した赤外光を検出する検出部と、光源部から出射した赤外光を人体頭部に導くとともに、赤外光の人体頭部表面上の照射位置を制御する光学系を備え、光源部、および検出部の少なくとも一方が前記人体と接触しない非接触型であり、検出部が検出する赤外光が出射する前記人体頭部の１つ以上の位置は、光学系が制御する光の照射位置と少なくとも異なる位置を含む。【選択図】図１
2020072809.tif 000002
【特許請求の範囲】
【請求項１】
人体頭部に照射する赤外光を生成する光源部と、
人体頭部内で拡散反射し、人体頭部の１つ以上の位置から出射された前記赤外光を検出する検出部と、
前記光源部から出射した前記赤外光を人体頭部に導くとともに、前記赤外光の人体頭部表面上の照射位置を制御する光学系を備え、
前記光源部および前記検出部の少なくとも一方が人体と接触しない非接触型であり、
前記検出部が検出する赤外光が出射された前記人体頭部の１つ以上の位置は、前記光学系が制御する光の照射位置と少なくとも異なる位置を含むことを特徴とした、光脳機能計測装置。
【発明の詳細な説明】
【技術分野】
【０００１】
本開示は、赤外光を用いて脳の活動を非侵襲で計測し、脳機能を測定する光脳機能計測装置に関するものである。
【背景技術】
【０００２】
近赤外光（波長：７００ｎｍ〜１０００ｎｍ）は、筋肉、脂肪および骨などの生体組織に対する透過率が比較的高く、血液中のオキシヘモグロビン、デオキシヘモグロビンに吸収される性質を有している。そのため、特許文献１に示されるように、この性質を利用した近赤外分光法（以下、ＮＩＲＳ：Ｎｅａｒ  ｉｎｆｒａｒｅｄ  ｓｐｅｃｔｒｏｓｃｏｐｙ）が血流の変化を測定するために用いられている。
【０００３】
このＮＩＲＳを用いて脳機能を測定する光脳機能測定装置は、例えば、特許文献１に示されるように、頭部から近赤外光を照射し、脳によって拡散反射された光を受光し、この光を検出し、この検出結果を基に脳に流れる血液中のオキシヘモグロビン、デオキシヘモグロビン濃度を測定し、ヘモグロビンの酸素状態から脳の活動状態（脳機能）を測定する光送受信プローブを有している。また、この光脳機能測定装置は、測定結果を管理する例えばパソコンなどの本体装置を有している。
【０００４】
図１０は、従来の光脳機能計測装置を示す図である。図１０に示すように、従来型の光脳機能計測装置は、頭部に装着される装着体２０１を備え、近赤外光を頭部に向けて出射する光源部２０２と、脳によって拡散反射された近赤外光を受光し、この光を検出する検出部２０３とが、装着体２０１に装着されている。光源部２０２および検出部２０３は、本体装置２０５と、例えば光ファイバや電気配線などの有線２０４によって連結されている。
【０００５】
このように、従来の光脳機能計測装置では、光源部２０２および検出部２０３が頭部に固定されるため、赤外光が頭部に入射する位置（以降、「光入射位置」とする）、および、頭部から出た光が検出部２０３に導かれる位置（以降、「光出射位置」とする）が固定となる。
【先行技術文献】
【特許文献】
【０００６】
【特許文献１】特開２０１２−２２３５２３号公報
【発明の概要】
【発明が解決しようとする課題】
【０００７】
しかしながら、上述のように頭部に装着される装着体に光源部および検出部を備えた光脳機能計測装置では、一旦装着体を頭部に装着すると、光源部および検出部の位置を変えることが難しく、任意の位置の脳機能を計測するには適さないという課題を有していた。
【０００８】
本発明は、上記従来の課題を解決するもので、人体頭部の任意の位置の脳機能計測を実現する光脳機能計測装置を提供することを目的とする。
【課題を解決するための手段】
【０００９】
本開示の一態様に係る光脳機能計測装置は、人体頭部に照射する赤外光を生成する光源部と、人体頭部内で拡散反射し、人体頭部の１つ以上の位置から出射された赤外光を検出する検出部と、光源部から出射した赤外光を人体頭部に導くとともに、赤外光の人体頭部表面上の照射位置を制御する光学系とを備え、光源部および検出部の少なくとも一方が人体と接触しない非接触型であり、検出部が検出する赤外光が出射された人体頭部の１つ以上の位置は、光路変更手段が制御する光の照射位置と少なくとも異なる位置を含むことを特徴とする。
【発明の効果】
【００１０】
本開示によれば、人体頭部の任意の位置の脳機能計測を実現する光脳機能計測装置を提供することが可能となる。
【図面の簡単な説明】
【００１１】
【図１】図１は、本開示の実施の形態１に係る光脳機能計測装置の一例を示す概略図である。
【図２】図２は、本開示の光脳機能計測装置の一例を示すブロック図である。
【図３】図３は、本開示の実施の形態１に係る光脳機能計測装置の他の一例を示す概略図である。
【図４】図４は、本開示の実施の形態１に係る光脳機能計測装置の他の一例を示す概略図である。
【図５】図５は、本開示の実施の形態２に係る光脳機能計測装置の一例を示す概略図である。
【図６】図６は、本開示の実施の形態２に係る別の光脳機能計測装置の一例を示す概略図である。
【図７】図７は、本開示の実施の形態３に係る光脳機能計測装置の一例を示す概略図である。
【図８】図８は、本開示の実施の形態３に係る別の光脳機能計測装置の一例を示す概略図である。
【図９】図９は、本開示の実施の形態４に係る光脳機能計測装置の一例を示す概略図である。
【図１０】図１０は、従来の光脳機能計測装置を示す模式図である。
【発明を実施するための形態】
【００１２】
まず、本発明者らが本開示に係る各態様の発明をするにあたって、検討した事項を説明する。
【００１３】
（本発明の基礎となった知見）
従来のように頭部に装着される装着体２０１に光源部２０２および検出部２０３を備えた光脳機能計測装置では、一旦装着体２０１を頭部に装着すると、光源部２０２および検出部２０３の位置を変えることが難しく、任意の位置の脳機能を計測するには適さないという課題を有していた。
本発明者らは、従来型の光脳機能計測装置では、光入射位置および光出射位置によって計測結果が異なるという課題に気付き、その原因を検討してきた。
【００１４】
検討の結果、頭皮（または頭部表面ともいう）に動脈や静脈など特に血流量が大きい部分が存在するため、光源からの光がこの部分を通過すると光が減衰することに、本発明者らは気付いた。よって、光入射位置および光出射位置のうちの少なくとも一方の近傍に血流量が大きい部分が存在すると、この近傍の血流量の大きい部分によって光が吸収され、光源部から検出部までの光の減衰率が変化し、光脳機能計測装置の感度が大きく変化する（特に、血流量が大きい部分では感度不足となる）という課題があることに、本発明者らは気が付いた。
【００１５】
上記課題を解決するため、少なくとも光入射位置または光出射位置の何れかの位置を可変とすることで、人体の頭部表面の血流量が大きい部分によって光源からの光が大きく吸収される影響を少なくする（または、影響をなくす）ように、光入射位置または光出射位置の何れかの位置を調節し、光脳機能計測装置の感度が大きく変化することを抑える（または、感度の変化をなくす）ことが必要であると本発明者らは考えた。
【００１６】
本開示は、人体頭部の任意の位置の脳機能計測を実現する光脳機能計測装置を提供する。
以下、実施の形態１では光入出射位置の両方が位置可変の場合について記載し、実施の形態２では光出射位置のみが可変の場合について記載し、実施の形態３では光入射位置のみが可変の場合について記載する。
【００１７】
本開示の実施の形態１から３の構成により、少なくとも光入射位置および光出射位置の何れかは、頭皮の動脈および静脈を避けた位置とすることが可能となる。例えば、光入射位置および光出射位置を変えながら計測する中で、特に感度（検出部で計測される光量）が２ｍｍ〜０．５ｍｍ程度の短距離で大きく変動する場合は、光入射位置および光出射位置のうち、位置を変えた方の部位の頭皮の下に動脈または静脈が存在すると認識できる。
【００１８】
また、動脈および静脈の位置を認識せずとも、複数の光入射位置および光出射位置からの計測結果を平均化することで、動脈や静脈の分布に影響されない計測結果を得ることが可能となる。
【００１９】
なお、以下で説明する実施の形態は、何れも本開示の一具体例を示すものである。以下の実施の形態で示される数値、形状、構成要素、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また全ての実施の形態において、各々の内容を組み合わせることもできる。
【００２０】
（実施の形態１）
図１は、本実施の形態に係る光脳機能計測装置１００の一例を示す図である。
図１に示すように、光脳機能計測装置１００は、光源部１０１、光路変更手段１０３、検出部１０４、光学系１０５、および本体装置１０６を備える。
【００２１】
光源部１０１は、赤外光１０２を出射し、赤外光１０２は人体頭部に照射される。赤外光１０２の光路上（光源部１０１と頭部との間）に設置された光学系によって、赤外光１０２は人体頭部へ導かれる。図１に示す例では、赤外光を人体頭部へ導く光学系は、例えば赤外光１０２の光路を変更させる光路変更手段１０３を備える。光路変更手段１０３によって赤外光１０２の光路を変更させることで、赤外光１０２は、人体頭部上へ導かれる。また、光路変更手段１０３がミラーの場合は、その角度を変えることにより、赤外光１０２の照射位置（光入射位置）を移動させることが可能となる。
【００２２】
人体頭部に照射された赤外光１０２は、人体頭部内で拡散反射され、光出射位置およびその周辺から頭部外に出射される。頭部外に出射される光出射位置と光入射位置との間の距離がある程度近い場合、その光出射位置（第１出射位置と称す）から出射される赤外光は、人体頭部内で拡散反射される赤外光１０２のうち、主として頭皮のみを通過して第１出射位置から出射される赤外光を、多くの割合で含む。一方で、頭部外に出射される光出射位置と光入射位置との間の距離が大きくなるに従って、その出射位置（第２出射位置と称す）から出射される赤外光は、人体頭部内で拡散反射される赤外光１０２のうち、主として頭皮を通過し、頭蓋骨または脳内を通過した後、頭皮を通過して第２出射位置から出射される赤外光を、多くの割合で含む。人体頭部内で拡散反射された赤外光は、上述のように複数の出射位置から頭部外に出射され、光学系１０５にて検出部１０４に導かれる。
【００２３】
検出部１０４は、複数の検出素子を備えており、頭部表面上の複数個所（複数の光出射位置）から出射した赤外光の強度（または光量）を計測することが可能である。検出部１０４は、例えば縦横に検出素子が並んだ２次元配列のものを採用する。
【００２４】
第２出射位置から出射される赤外光の光量（第２の光量）を計測し、計測した光量を用いて脳機能の計測をすることが望ましいが、第２出射位置から出射される赤外光は、上述したように頭皮を通過するので、この影響を受ける。一方で第１の出射位置から出射される赤外光の光量（第１の光量）を計測することで、赤外光が頭皮を通過したときの影響を把握することができる。
よって、第２出射位置から出射される赤外光の光量（第２の光量）および第１の出射位置から出射される赤外光の光量（第１の光量）をそれぞれ計測し、計測した第１の光量に基づいて、計測した第２の光量に含まれる頭皮を通過したときの赤外光への影響を除去することで、より正確に脳機能を計測することが可能となる。計測した第１の光量に基づいて、計測した第２の光量に含まれる頭皮を通過したときの赤外光への影響を除去するための計算は、例えば本体装置１０６側で行ってもよいし、検出部１０４側で行ってもよい。
【００２５】
このとき、光入射位置または光出射位置の近傍に血流量が大きい部分がある場合と、ない場合とでは、光出射位置から出射される赤外光の光量が大きく変化するため、正確に脳機能を計測することができない。光入射位置または光出射位置の近傍に血流量が大きい部分があるというのは、例えば光入射位置または光出射位置に対応する部分の頭皮の下に存在する動脈または静脈である。
本実施の形態では、少なくとも光入射位置および光出射位置の何れかは、頭皮の動脈および静脈を避けた位置に調整することで、計測した第２の光量に含まれる頭皮を通過したときの影響を軽減できるようにしたことを特徴とする。
【００２６】
図１の構成では、各検出素子が検出する赤外光の光出射位置は固定であるが、検出素子を選択することで、光出射位置を選択することが可能となる。
【００２７】
また、図２に本開示の光脳機能計測装置の一例を示すブロック図である。
図２に示すように、図１の光源部１０１内の光源１００１は、本体装置１０６内の光源用電源１００２から電力を供給され、光源用電源１００２および光路変更手段１０３は制御部１００３で制御される。つまり、制御部１００３によって、赤外光１０２の頭部への入力（パワー）と光入射位置が制御される。本体装置１０６は、例えば、メモリ（図示せず）およびＣＰＵ（Ｃｅｎｔｒａｌ  Ｐｒｏｃｅｓｓｉｎｇ  Ｕｎｉｔ）などのプロセッサを含んでもよい。制御部１００３は、例えば、ＣＰＵがメモリに記憶した制御プログラムを読み出して実行することにより実現される。また、制御部１００３の機能は、ＡＳＩＣｓ（Ａｐｐｌｉｃａｔｉｏｎ−Ｓｐｅｃｉｆｉｃ  Ｉｎｔｅｇｒａｔｅｄ  Ｃｉｒｃｕｉｔ）またはＦＰＧＡｓ（Ｆｉｅｌｄ  Ｐｒｏｇｒａｍｍａｂｌｅ  Ｇａｔｅ  Ａｒｒａｙｓ）などの専用のハードウェア回路に実装されていてもよい。
【００２８】
また、赤外光１０２の入力に相当する光源投入電力と、光入射位置に相当する光路変更手段１０３の光路変更状態（光路変更手段１０３がミラーの場合は、その角度情報など）に関する情報が、制御部１００３からデータ解析部１００４に送信される。またこの際に、データ解析部１００４は、光路変更状態に関する情報から光出射位置を算出する。データ解析部１００４は、例えば、ＣＰＵがメモリに記憶したデータ解析プログラムを読み出して実行することにより実現される。また、データ解析部１００４の機能は、ＡＳＩＣｓまたはＦＰＧＡｓなどの専用のハードウェア回路に実装されていてもよい。
【００２９】
更に、検出部１０４内の各検出素子１００５で検出した電流（または電圧）のアナログ信号は、アナログ／デジタル変換機１００６を通してデータ解析部１００４にて送られ、対応する検出素子における光出射位置からの出力として、データ処理される。
【００３０】
つまり、データ解析部１００４は、赤外光１０２の入力、光入射位置、出力、光出射位置（例えば第１の出射位置、第２の出射位置など）の４つの情報を保持する。データ解析部１００４は、上記４つの情報から、頭部各部位での吸光特性や散乱特性など算出し、人体頭部内の血流量分布や、オキシヘモグロビン／デオキシヘモグロビン割合分布などを算出する（脳機能状態を算出する）。上記算出方法については、従来型の光機能計測装置と同様の方法を用いることも可能である。
【００３１】
また、図示しないが、アナログ／デジタル変換機１００６と検出素子の間に、アンプを備え増幅する構成としてもよい。
【００３２】
また、本体装置１０６は、画像表示部１００７を備え、データ解析部１００４にて算出した脳機能状態は、画像表示部１００７に表示されてもよい。被験者自身が自身の脳機能状態を把握することが可能となる。また、本体装置１０６は、内部にバッテリーを備えてもよく、外部電源を用いてもよい。
【００３３】
上記、図２を用いた本開示の光機能計測装置の構成については、一例であって、同様の機能を発現する別の構成であってもよい。
【００３４】
ここで、光源部１０１には、半導体レーザ、固体レーザ、ファイバレーザ、スーパールミネッセントダイオード、ＬＥＤなどが用いられる。ただし、半導体レーザ、固体レーザ、ファイバレーザ、スーパールミネッセントダイオードを用いることが望ましく、より小型の光路変更手段１０３を用いることが可能となるため、装置全体の小型化が可能となる。
【００３５】
また、光源部１０１は、複数のレーザを備えるなど、複数の波長の光を生成する、または、生成する光の波長の切り替えが可能な光源部であってもよい。脳内のより多くの情報を取得することで、より多種な脳機能状態を判断することが可能となる。
【００３６】
また、上記光源部１０１から出射する複数の波長のレーザ光は、同一光路であってもよい。これによって、脳内同一箇所の複数の波長の光の透過性を把握することが可能となるため、脳内の成分分布計測による脳機能状態計測が可能となる。
【００３７】
また、上記複数の波長の光は、少なくとも１つが８０５ｎｍ未満の波長の光であって、別の少なくとも１つが８０５ｎｍより長い波長の光であってもよい。これによって、脳内のオキシヘモグロビンおよびデオキシヘモグロビンの濃度分布から脳内の酸素消費量の空間分布を把握することが可能となる。これによって、脳機能の活発な領域を把握することが可能となる。
【００３８】
本実施の形態では、一例として、光源部１０１内に７８０ｎｍと８３０ｎｍの２つの異なる波長のレーザ光源とダイクロイックミラーを備え、２つのレーザ光源から出射した２つのレーザ光をダイクロイックミラーで合波し、１本の光路で出射する構成とする。
【００３９】
また、光路変更手段１０３は、ポリゴンミラー、ガルバノミラー、回転型のプリズム、ＭＥＭＳミラーなどが用いられる。特に、２軸走査型のＭＥＭＳミラーを用いることで、小型で、高速な脳機能計測装置が可能となる。
【００４０】
また、光学系１０５は、人体頭部上の異なる場所から出射された光を異なる検出素子に導くレンズやミラーなどの光学系である。例えば、頭部表面から出射した赤外光を検出素子周辺に結像する光学系を用いることで、上記が可能となる。
【００４１】
光学系１０５が、レンズを含む場合は、レンズの入出射面に赤外光１０２に対する反射防止膜を備え、光学系１０５が、ミラーを含む場合は、ミラーの反射面に赤外光１０２に対する透過防止膜を備えてもよい。より高感度な脳機能計測が可能となる。
【００４２】
また、光学系１０５は、頭部表面と検出部１０４の間の光学系を示し、単一のレンズ、または、ミラーであってもよく、複数の光学部品からなる光学系であってもよい。
【００４３】
また、光学系１０５は、図示しないが、共焦点光学系を備えてもよい。これによって、人体頭部表面と検出部１０４との間の空間上で散乱した赤外光によるノイズを除去し、より高感度な光脳機能計測装置となる。
【００４４】
また、光学系１０５は、図示しないが、偏光板を備えてもよい。これによって、人体頭部表面で散乱反射した赤外光１０２の多くを除去し、より選択的に人体頭部内部に入射した後、再び頭部表面から出射した赤外光１０２を計測することが可能となる。頭部表面で散乱反射した赤外光の割合を減らすことで、より高感度な脳機能計測が可能となる。
【００４５】
また、光学系１０５に偏光板を用いる場合は、人体頭部に照射する赤外光も直線偏光の光であることが望ましい、より高感度な脳機能計測が可能となる。
【００４６】
また、赤外光１０２を２つの直交する偏光に分離し、少なくとも２つの検出部で同時に計測する構成としてもよい。これによって、赤外光１０２の入射位置と出射位置、その光強度の関係性をより正確に計測することが可能となる。よって、より正確な脳機能計測が可能となる。
【００４７】
また、光学系１０５は、光源部１０１から出射する赤外光１０２の波長のみを透過するフィルターを備え、赤外光１０２以外の波長の光が検出部１０４に導かれることを防ぐ構成としてもよい。これによって、より高感度な脳機能計測が可能となる。
【００４８】
また、本体装置１０６内の制御部１００３によって、光源部１０１のＯＮ／ＯＦＦ制御（出力制御）を行ってもよい。光源部１０１から出射する赤外光１０２が異なる瞬間（または、光源部１０１のＯＮ時とＯＦＦ時）に各検出素子で計測される赤外光の光量を比較することで、光源部１０１以外の発光体で生成された光（ノイズ）を除去し、光源部１０１から出射された赤外光１０２の（人体頭部表面上での）強度分布を計測することが可能となる。これによって、より高感度な脳機能計測が可能となる。
【００４９】
また、図示しないが、本開示の光脳機能計測装置は、照度センサを備えていてもよい。設置環境の照度から、検出部１０４に入射する外光強度を推定し、赤外光１０２の強度から推定した強度を減算することで、検出部１０４に入射する赤外光１０２の強度をより正確に求めることが可能となる。つまり、より高感度な脳機能計測が可能となる。照度センサの設置位置は、検出部１０４に近いほど望ましく、計測対象者（赤外光１０２照射）向きに設置されていることが望ましい。このようにすることで、より正確に検出部１０４に入射する外光強度を求めることが可能となる。
【００５０】
照度センサとしては、フォトダイオードなどが用いられる。本開示の場合は近赤外光の強度を求めたいため、赤外領域に感度が高い照度センサが望ましい。
【００５１】
また、光源部１０１をパルス駆動し、検出部１０４の検出タイミングと光源部１０１の発光タイミングを変えて複数回の光送受信を行うことで、人体頭部と光源部１０１および検出部１０４との距離を計測することが可能となる。距離によって、検出部１０４の感度が異なるため、距離把握による感度補正によって、より正確な脳機能計測が可能となる。
【００５２】
また、光源部１０１のパルス波形（ピーク強度とパルス幅）および検出部１０４の検出時間を調節することで、光源部１０１から出射した赤外光１０２と外乱光との割合が変化する。つまり、パルス波形や検出時間が異なる条件で複数回の光送受信を行うことで、より正確に外乱の影響度を把握し補正することが可能となる。つまり、より正確に脳機能計測が行える。
【００５３】
また、光路変更手段１０３も制御部１００３によって制御されることによって、人体頭部表面上において、赤外光１０２の入射位置を変えられる。よって、赤外光１０２の入射位置が変えられるごとにデータ解析部１００４で算出される光出射位置も変えられる。よって、赤外光１０２の入射位置が変えられるごとに各出射位置での光強度を求めることが可能となる。これによって、より正確に脳機能計測が行える。
【００５４】
また、検出部１０４は、高感度な光電子増倍管やアバランシェフォトダイオードからなる複数の検出素子からなる検出部が用いられる。これによって、高感度な脳機能計測が可能となる。
【００５５】
また、検出部１０４は、高感度なＣＭＯＳまたはＣＣＤであってもよい。これによって、人体頭部表面から出射する赤外光１０２の強度分布と共に、人体頭部の画像（位置および向きなどの情報）も取得することが可能となる。赤外光１０２の強度分布と人体頭部の可視画像（近赤外画像（白黒表示）でも可）とを重畳して表示することで、人体頭部上の赤外光強度分布（ヘモグロビン酸素飽和度分布、脳機能状態）の位置を、より詳細に被験者（ユーザ）に伝えることが可能となる。
【００５６】
また、高感度な光電子増倍管やアバランシェフォトダイオードなどからなる高感度な検出部と、安価なＣＭＯＳまたはＣＣＤを備えたカメラの両方を備えてもよい。カメラなどの画像取得手段を用いることで、画像認識技術を用いて、赤外光１０２の入射位置が眉毛や髪などにかかっていないか判断することが可能となり、更に、高感度な検出部と併用することで感度も高い光脳機能計測装置となる。
【００５７】
また、本開示の光脳機能計測装置に（図示しないが）記憶手段を備え、過去の脳機能計測結果を記録させる場合、カメラ画像と脳機能計測結果画像とをセットで記録させることで、脳機能計測結果が誰の計測結果なのか、後から確認することが可能であり、誤認識を防止することも可能となる。
【００５８】
また、本実施の形態に係る光脳機能計測装置３００の他の一例を図３に示す。
図３に示すように、光電子増倍菅やアバランシェフォトダイオード、ＰＩＮフォトダイオードなどからなる検出部３０１を用い、検出部３０１の角度を変更することで、視野である光出射位置を変更する構成としてもよい。この場合、光学系１０５と検出部３０１を一体型とし（以降、検出モジュール３０３とする）、検出モジュール３０３に（図示しないが）向き変更手段を備えることで、検出部３０１の視野方向である光出射位置を移動させることが可能となる。ここで、上記向き変更手段としては、ステッピングモータなどからなるパンチルト調整手段が用いられる。また、検出部３０１または光学系１０５の何れかを固定し、もう一方のみを移動させる方法で、光出射位置を移動させてもよい。パンチルト調整手段を用いる方が広角度範囲の脳機能計測が可能となるが、検出部３０１および光学系１０５の何れか一方を移動させる方法の方が高速な脳機能計測が可能となる。
【００５９】
また、図４に、本実施の形態に係る光脳機能計測装置４００の他の一例を示す。
図４に示すように、検出部３０１、光学系１０５、光源部１０１が一体型となって、向きを変える構成としてもよい。光源部１０１から出射した赤外光１０２が照射される頭部表面の周囲で、予め設定された距離だけ離れた位置から出射する赤外光１０２が検出部３０１に導かれるよう検出部３０１、光学系１０５、光源部１０１が配置されている。
【００６０】
図１の構成が最も小型で高速な脳機能計測装置が可能であり、図３、図４となるほど高速性が低下し、大型となるが、安価な脳機能計測装置が可能となる。
【００６１】
また、図３、図４（後述する図７、図８、図９）に示すように、検出部３０１が単素子で光出射位置を走査させる構成の場合、頭部の位置を計測する頭部位置計測手段３０２を備えることが望ましい。頭部位置を把握することが可能となり、光入射位置および光出射位置が頭部となるように光路変更手段１０３および検出部３０１を制御することが可能となる。
【００６２】
また、図１（後述する図５、図６）に示すように、検出部１０４が複数の検出素子を備える場合も頭部位置計測手段３０２を備えてもよい。ユーザの頭部位置情報と脳機能状態の情報を重ね合わせてマッピングすることで、頭部上の位置と脳機能状態の関係性を、より分かり易くユーザに伝えられる。
【００６３】
ここで、頭部位置計測手段３０２は、例えば、可視画像または赤外線画像を取得する画像取得手段であってもよい。目や鼻、口などの特徴的なパターンを目印として用いて顔認識技術によって顔位置を把握することが可能となる。また、頭部位置計測手段３０２は、例えば、タイムオブフライトを用いて距離を計測する距離計測手段、またはステレオカメラを用いて形状を計測する形状計測手段であってもよい。
【００６４】
また、図１および図３のように、人体頭部上で光入射位置と光出射位置をそれぞれ独立に決められる構成では、光入射位置および光出射位置の何れかを固定した状態で、光入射位置と光出射位置との間の距離を変えることで、脳内の光吸収特性と、頭部表面の血流による光吸収特性とを分離することが可能となる。これによって、より正確な脳機能計測が可能となる。
【００６５】
また、光入射位置および光出射位置の何れかを固定した状態で、光入射位置と光出射位置との間の距離を変えずに、もう一方の位置を変える。つまり、光入射位置固定で、光入射位置を中心とした円を描くように光出射位置を変える、または、光出射位置固定で、光出射位置を中心とした円を描くように光入射位置を変える。これによって、より高感度な脳機能計測が可能となる。
【００６６】
また、上述した光入射位置と光出射位置との間の距離が異なる３種類の条件で（光入射位置と光出射位置との間の距離を上述した３つの異なる状態で）赤外光１０２の送受信を行うことが望ましい。これによって、計測対象者の頭皮や頭蓋骨の厚みを把握し、計測結果を補正することが可能となるため、より高精度に脳機能状態を計測することが可能となる。
【００６７】
ここで、図１の構成では、例えば、光入射位置を固定し、位置の異なる複数の光出射位置からの赤外光強度を同時に計測することが可能となるため、上記高感度で、頭部表面の血流の影響を軽減した脳機能計測がより高速で実現できる。
【００６８】
また、例えば、光入射位置を固定し、光入射位置と光出射位置との間の距離が２ｍｍから０．５ｍｍ間隔で変わるように光出射位置を変えて赤外光１０２の送受信を行うことが望ましい。これによって、検出部１０４で検出した赤外光強度に基づいて、２ｍｍ〜０．５ｍｍ程度の短距離で赤外光の光量が大きく変動する場合は、光出射位置に対応する部分の頭皮の下を動脈または静脈が存在する部位として判断できるので、この光出射位置から出射される赤外光の光量を脳機能の計測に用いないようにすることができる。
【００６９】
また、光出射位置を固定し、光入射位置と光出射位置との間の距離が２ｍｍから０．５ｍｍ間隔で変わるように光入射位置を変えて赤外光１０２の送受信を行ってもよい。検出部１０４で検出した赤外光強度に基づいて、２ｍｍ〜０．５ｍｍ程度の短距離で赤外光の光量が大きく変動する場合は、光入射位置に対応する部分の頭皮の下を動脈または静脈が存在する部位として判断できるので、この光入射位置は避け、別の位置から赤外光１０２を入射させるように光路変更手段１０３を制御することができる。
【００７０】
つまり、頭皮の動脈や静脈の位置を把握できるため、少なくとも光入射位置および光出射位置の何れかを頭皮の動脈および静脈を避けた位置とすることができ、脳機能計測の精度がより高まる。
【００７１】
また、上記方式の他に、複数の光入射位置または複数の光出射位置での赤外光１０２送受信の結果を平均化する、または、最大、最小のデータを除去するなどの方法で動脈や静脈の位置に影響されない脳機能計測が可能となる。動脈や静脈位置を把握する方式は、より正確ではあるが、計測速度については、後述の平均化や最大最小除去の方法が優れる。
【００７２】
（実施の形態２）
本実施の形態では、光源部を人体接触させる光脳機能計測装置について示す。
光源部を人体接触させることで、より高出力な赤外光を照射することが可能となるため、より高感度な光脳機能計測装置となるが、光源部の位置は変えられず、出射位置のみを変えることで脳内の任意の位置の機能状態を計測することを可能とする。
【００７３】
図５に、本実施の形態に係る光脳機能計測装置５００について示す。
図５に示すように、光脳機能計測装置５００は、光源部１０１を頭皮に接触させるように固定する。頭皮接触型とすることで光源部１０１から人体頭部に入射する光出力を高めることが可能となり、より高感度な脳機能計測が可能となる。
【００７４】
また、検出部１０４は、図３および図４に示す検出部３０１の構成であってもよい。
また、光源部１０１を頭皮に接触させるように固定するには、図１０に示したように装着体２０１を固定手段として用いてもよい。
【００７５】
また、図６に、本実施の形態に係る別の光脳機能計測装置６００について示す。
図６に示すように、光脳機能計測装置６００は、光源部１０１を耳内に装着する光脳機能計測装置となる。耳穴内で赤外光を出力し、頭皮から出射する赤外光を計測することで、耳から頭皮までの脳内の吸光度に応じた信号を計測することが可能となる。つまり、脳内深部の機能状態計測も可能となるため望ましい。
【００７６】
また、同様に、鼻穴内や口腔内に光源部を挿入してもよい。ただし、装着位置が安定し易く、呼吸の障害になることもないため、光源部１０１をユーザの耳穴内に装着する方法が最も望ましい。
【００７７】
また、光脳機能計測装置６００の場合も、検出部１０４は図３および図４に示す検出部３０１の構成であってもよい。
【００７８】
また、図５の構成と図６の構成とを比較すると、図５の構成はより高感度であり、図６の構成は脳内深部の計測が可能である点で、それぞれ望ましい。
【００７９】
（実施の形態３）
本実施の形態では、検出部を人体接触させる本開示の光脳機能計測装置について示す。
検出部を人体接触させることで、外乱光の影響を更に軽減することが可能となるため、より高感度な光脳機能計測装置となるが、検出部の位置は変えられず、入射位置のみを変えることで脳内の任意の位置の機能状態を計測することを可能とする。
【００８０】
図７に、本実施の形態に係る光脳機能計測装置７００について示す。
図７に示すように、光脳機能計測装置７００は、検出部３０１を頭部に固定するように装着する。また、装着する検出部３０１は複数であってもよい。
【００８１】
また、検出部３０１の頭部に固定するように装着するには、図１０に示したように装着体２０１を固定手段として用いてもよい。
【００８２】
また、図８に、本実施の形態に係る別の光脳機能計測装置８００について示す。
図８に示すように、光脳機能計測装置８００は、検出部３０１を耳内に装着する光脳機能計測装置となる。頭皮から赤外光を入射し、耳穴内で赤外光を計測することで、耳から頭皮までの脳内の吸光度に応じた信号を計測することが可能となる。つまり、脳内深部の機能状態計測も可能となるため望ましい。
【００８３】
また、同様に、鼻穴内や口腔内に検出部を挿入してもよい。ただし、装着位置が安定し易く、呼吸の障害になることもないため、検出部３０１をユーザの耳穴内に装着する方法が最も望ましい。
【００８４】
また、図７の構成と図８の構成とを比較すると、図７の構成はより高感度であり、図８の構成は脳内深部の計測が可能である点で、それぞれ望ましい。
【００８５】
また、実施の形態２および３においても、実施の形態１と同様の構成で、同様の効果を発現することは言うまでもない。
【００８６】
また、各実施の形態の脳機能計測装置は、音声や映像などの人体インターフェースによって、被験者（ユーザ）に対して、額にかかる前髪を上げる指示を行ってもよい。これによって、より高感度な前頭葉の脳機能計測が可能となる。
【００８７】
例えば、図３を例に説明する。
頭部位置計測手段３０２で計測された頭部の位置が、予め決められた所定位置から逸脱している場合に、「頭部を近づけてください」や「頭部を右に動かしてください」などと、音声や画像表示手段上の文字表示などでユーザに伝えてもよい。これによって、より正確にユーザの脳機能計測が可能となる。
【００８８】
また、頭部位置計測手段が画像取得手段の場合は、額の髪の毛のかかり具合を計測してもよい。額に髪がかかっている場合は、「髪をかきあげてください」や「額の髪が計測の邪魔です」などと、音声や画像表示手段上の文字表示などでユーザに伝えてもよい。これによって、より正確にユーザの脳機能計測を行える。
【００８９】
また、同様に音声や画像表示手段を用いて、「計測環境下の埃が多過ぎます」や「外乱光（太陽光）の強度が強過ぎます」などのように、計測精度が低い状態である場合に、その原因をユーザに伝えてもよい。これにより、ユーザは計測精度が低い状態であることを把握することが可能となり、対策することも可能となる。
【００９０】
また、図５から図８で示すように、光源部または検出部の何れかが接触型の場合、眼鏡またはバンドなどを固定手段として用いて、対象となる光源部または検出部を頭部に固定する構成としてもよい。
【００９１】
また、赤外光１０２の入射位置および出射位置付近の頭部表面の温度（肌の温度）を計測する肌温度計測手段を備えていることが望ましい。また、赤外光１０２の入射位置および出射位置付近の頭部表面の状態（肌の状態）を計測する肌状態計測手段を備えていることが望ましい。肌状態計測手段は、例えば、頭部表面の肌水分を計測する。
【００９２】
例えば、赤外光１０２が頭部表面に入射する入射位置付近の温度を計測するために肌温度計測手段は、光源部１０１に隣接した位置に設けるのが望ましい。
例えば、赤外光１０２が頭部表面に入射する入射位置付近の肌水分を計測するために肌水分計測手段は、光源部１０１に位置に設けるのが望ましい。
また、例えば、頭部表面から出射する赤外光１０２の出射位置付近の頭部表面の温度を計測するために肌温度計測手段は、検出部に隣接した位置に設けるのが望ましい。
また、例えば、頭部表面から出射する赤外光１０２の出射位置付近の頭部表面の肌水分を計測するために肌水分計測手段は、検出部に隣接した位置に設けるのが望ましい。
【００９３】
これによって、温度や肌状態によって変動する赤外光１０２の表面散乱は、表皮、真皮層での散乱反射の影響を補正することが可能となる。よって、より正確に脳内の散乱透過特性を把握する（脳機能計測を行う）ことが可能となる。
【００９４】
例えば、温度および肌水分率が変化することで表皮、真皮層の水分などによる光の吸収特性変化が起こる。上記構成で、この影響を減らすことができる。
【００９５】
肌温度計測手段としては、サーモパイル、ボロメータなどの非接触放射温度計測手段が用いられる。また、サーミスタまたは熱伝対などの接触型であってもよいが、肌温度計測手段として用いるサーミスタまたは熱伝対を接触させた部位に光照射ができず脳機能計測できないエリアとなるため、肌温度計測手段としては、非接触放射温度計測手段を用いるのがより望ましい。
【００９６】
肌水分計測手段としても、接触型の電気伝導度から肌水分を算出する手段であってもよいが、上記と同様の理由により非接触型が望ましい。例えば、近赤外〜遠赤外領域の光の吸光特性を利用して肌水分計測を行ってもよい。例えば、光源部１０１から１．５μｍ付近の波長の光と１．４μｍ付近の波長の光を出射することで、脳機能計測と同時に表皮の水分率計測も可能となる。言うまでもなく、１．５μｍと１．６μｍであってもよく、１．５５μｍと１．６４μｍであってもよい。水の吸光度の異なる複数の波長の光を用いることで水分率の推定が可能となる。
【００９７】
また、６μｍ付近や３μｍ付近の遠赤外、中赤外領域の水の吸収し易い波長を利用してもよい。
【００９８】
（実施の形態４）
本実施の形態では、光源部と検出部が一体となった持ち運び可能な小型の光脳機能計測装置について示す。
図９に示すように、光脳機能計測装置は、光源部１０１および検出部３０１を少なくとも１つ備える。両者の間の距離が変化しないよう、光源部１０１および検出部３０１は光送受信プローブ９０１に装着されている。
【００９９】
本実施の形態の光脳機能計測装置は、光源部、検出部共に接触型となるが、ユーザ自身が光送受信プローブ９０１を持って、任意の位置に動かすことが可能となるため、任意の位置の脳機能計測が可能となる。光入出射位置を変えながらの計測も可能となる。
【０１００】
ただし、実施の形態１から３の構成に比べて、光入出射位置と脳機能との関係性を把握する精度が低く、計測対象部全体の計測速度についても、実施の形態１から３の構成が勝る。
【０１０１】
また、図示しないが、光源部１０１からの距離が異なる複数の検出部を備えることで、より高感度な脳機能計測が可能となる。
【０１０２】
また、光源部１０１からの距離が等しい複数の検出部を備えることで、頭皮表面の血流と脳内の血流の吸光度を分離して求めることが可能となるため、より正確な脳機能計測が可能となる。
【０１０３】
また、本実施の形態においても、光源部１０１および検出部３０１に隣接した位置に肌温度計測手段や肌水分計測手段を設けてもよい。既述の効果が得られる。
【０１０４】
また、本体装置に付随した画像表示部１００７には、計測した肌温度や肌水分などの情報も表示してもよい。人体は脳機能計測と同時に、肌温度や肌水分も把握することが可能となるため、健康や美容管理用途でも有用な光脳機能計測装置となる。
【０１０５】
また、実施の形態１から４の光脳機能計測装置は、様々な他の機能を備えた装置に装備されていてもよい。
【０１０６】
例えば、実施の形態１から４の光脳機能計測装置を運転席に備えた自動車であってもよい。運転者の眠気の程度を推定し、推定結果に基づいて車内の換気（ＣＯ２濃度調節）を行ってもよい。
【０１０７】
また、実施の形態１から４の光脳機能計測装置を備えた机（照明付き）やデスク用スタンド照明であってもよい。計測対象者の集中度、眠気を推定し、推定結果に併せて、照明強度を調節することで集中力を高めることが可能となる。
【０１０８】
また、実施の形態１から４の光脳機能計測装置を備えた空気質（ＣＯ２濃度、湿度、温度、その他成分濃度）調整手段であってもよい。空気質調整手段は、集中度、眠気、または、感情を推定し、空気質を調整する。
【０１０９】
また、実施の形態１から４の光脳機能計測装置を備えたＡＶ機器であってもよい。眠気や感情に合わせて音楽、映像などの選択によって、各自により適した環境を提供してもよい。
【０１１０】
また、実施の形態１から４の光脳機能計測装置を備えた工場のライン装置であってもよい。作業者の集中度に合わせて、ラインを止めて休憩時間を設けるなど、最適な作業時間の調整や、作業者ごとの負荷のばらつきなどを把握し、作業工程の交代などを音声や画像表示で提案することが可能となる。
【０１１１】
また、会議室内に実施の形態１から４の光脳機能計測装置を設置することで、会議参加者の眠気や感情の高ぶりを推定し、会議室の空調や照明を調節したり、音声などで会議終了を促したりすることで、集中力を欠いたメンバーによる無駄な会議を防止することが可能となる。
【０１１２】
また、実施の形態１から４の光脳機能計測装置を備えたテレビであってもよい。感情状態に合わせて適切なＣＭを選択するなど、広告効果を高めることが可能となる。
【０１１３】
また、上記で示した構成については、光脳機能計測装置と、他の機能を備えた装置（自動車、机など）の両方に通信手段を備えていれば、別々の装置であってもよい。
【０１１４】
また、上記計測対象者の状態（集中度、眠気、快不快など）の推定のため、本開示の光脳機能計測装置と、脳波系、心拍計、血圧計、レーザスペックル血流計などとを併用することで、より正確に状態推定が行える。
【０１１５】
また、本開示では光脳機能計測装置について示したが、同様の構成で、脳以外の人体部位のオキシヘモグロビンおよびデオキシヘモグロビンの濃度分布を計測することも可能となる。
【０１１６】
また、本開示では光脳機能計測装置について示したが、同様の構成で、美容の状態を測定することも可能である。具体的には、例えば、光源部１０１から出射される赤外光の光路を光路変更手段１０３によって光路を変更させ目の下の部分に照射させる。目の下の部分に照射した赤外光は、人体頭部内で拡散反射した後、頭部外に出射される。目の下の部分に照射した赤外光のうち、主として照射した位置（目の下の部分）から進入し、目の下の部分（皮膚）と、その下に位置する骨との間を通過して再び顔の外へ出射する光を検出部１０４で検出する。この目の下の部分（皮膚）とその下の骨との間を通過する赤外光は、血管を通過することにより一部が吸収される。例えば、血管内を流れる血液に含まれるデオキシヘモグロビンなどにより吸収される。この血液に含まれるデオキシヘモグロビンの量は、例えば被験者の健康の状態において異なる。
【０１１７】
よって、顔の外へ出射する光を検出部１０４で赤外光の光量を一定時間測定することにより、単位時間当たりに血管を流れるデオキシヘモグロビンの量、または血液に含まれるデオキシヘモグロビンの濃度を推定できる。よって、推定したデオキシヘモグロビン量または濃度から被験者の健康の状態（美容の状態）を計測することができる。
【０１１８】
このとき、赤外光を目の下の部分に照射する位置と、検出部１０４が検出する赤外光が顔の外へ出射する位置との間の距離は近いことが望ましい（例えば、０．３ｃｍ以上２．０ｃｍ以下）。これらの距離が近ければ、顔から出射する赤外光は、目の下の部分（皮膚）とその下の骨との間を通過した赤外光であると考えられるからである。よって、赤外光を目の下の部分に照射する位置を光路変更手段１０３で調節することが望ましい。または、光学系１０５を用いて検出部１０４が検出する赤外光が顔の外へ出射する位置を調節することが望ましい。
【０１１９】
赤外光を目の下の部分に照射する位置、および検出部１０４が検出する赤外光が顔の外へ出射する位置のうちの少なくとも１つを調節することにより、これらの位置の間の距離を０．３ｃｍ以上２．０ｃｍ以下に調節することができる。
【０１２０】
また、本開示では、光脳機能計測装置について示したが、計測対象を例えば果物、野菜および肉などの食材または植物とすれば、表面状態による影響を軽減し、これらの内部の成分分析を行うこともできる。
【０１２１】
本明細書に記載の各構成によって、各効果を奏でることは言うまでもない。（変形例）
本開示の光脳機能計測装置の構成および変形例について以下に説明をする。
【０１２２】
本開示の一実施形態に係る光脳機能計測装置は、人体頭部に照射する赤外光を生成する光源部と、前記人体頭部内で拡散反射し、前記人体頭部の１つ以上の位置から出射された前記赤外光を検出する検出部と、前記光源部から出射した前記赤外光を人体頭部に導くともに、前記赤外光の人体頭部表面上の照射位置を制御する光学系を備え、前記光源部、および前記検出部の少なくとも一方が前記人体と接触しない非接触型であり、前記検出部が検出する赤外光が出射された前記人体頭部の１つ以上の位置は、前記光学系が制御する光の照射位置と少なくとも異なる位置を含むことを特徴とする。
このように構成をすることにより、人体頭部の任意の位置の脳機能計測を実現する光脳機能計測装置を提供することが可能となる。
【０１２３】
本開示の一実施形態に係る光脳機能計測装置は、前記検出部が非接触型であって、前記検出部は、前記人体頭部の表面上の１つ以上の位置から出射された前記赤外光を検出する複数の検出素子を含むことを特徴とする。
【０１２４】
本開示の一実施形態に係る光脳機能計測装置は、前記検出部が非接触型の検出器であって、前記検出部にて検出される赤外光が出射される人体頭部の表面上の位置を変える検出位置変更手段を備えていることを特徴とする。
【０１２５】
本開示の一実施形態に係る光脳機能計測装置は、前記光源部が非接触型の光源であって、前記光学系が、人体頭部の表面上の赤外光の照射位置を変える光路変更手段を備えていることを特徴とする。
【０１２６】
本開示の一実施形態に係る光脳機能計測装置は、前記赤外光の照射位置付近の肌温度を計測する肌温度計測手段を備えていることを特徴とする。
【０１２７】
本開示の一実施形態に係る光脳機能計測装置は、前記赤外光の照射位置付近の肌水分を計測する肌水分計測手段を備えていることを特徴とする。
【０１２８】
本開示の一実施形態に係る光脳機能計測装置は、前記検出部が検出する赤外光が出射される人体頭部の位置を計測する頭部位置計測手段を備えていることを特徴とする。
【０１２９】
本開示の一実施形態に係る光脳機能計測装置は、前記検出部にて検出した結果に基づいて、前記赤外光の照射位置を制御する。
【０１３０】
以上、本開示の光脳機能計測装置について示したが、本明細書にて示した構成は一例であって、本開示の主旨を逸脱しない範囲で様々な変更が可能であることは言うまでもない。
【産業上の利用可能性】
【０１３１】
本開示は、人体の頭部に光を照射し、人体の脳内を通過した光を計測することにより脳の活動を計測する光脳機能計測装置に有用である。
【符号の説明】
【０１３２】
１００、３００、４００、５００、６００、７００、８００  光脳機能計測装置
１０１、２０２  光源部
１０２  赤外光
１０３  光路変更手段
１０４、２０３、３０１  検出部
１０５  光学系
１０６、２０５  本体装置
２０１  装着体
２０４  有線
３０２  頭部位置計測手段
９０１  光送受信プローブ
１００１  光源
１００２  光源用電源
１００３  制御部
１００４  データ解析部
１００５  検出素子
１００６  アナログ／デジタル変換機
１００７  画像表示部
１００８  電源
【図１】
2020072809.tif 000003
【図２】
2020072809.tif 000004
【図３】
2020072809.tif 000005
【図４】
2020072809.tif 000006
【図５】
2020072809.tif 000007
【図６】
2020072809.tif 000008
【図７】
2020072809.tif 000009
【図８】
2020072809.tif 000010
【図９】
2020072809.tif 000011
【図１０】
2020072809.tif 000012
【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
人体頭部に照射する赤外光を生成する光源部と、
前記人体頭部の内部で拡散反射し、前記人体頭部から出射された前記赤外光を検出する検出部と、
前記光源部及び前記検出部を制御する制御部と、
解析部と、を備え、
前記制御部は、前記光源部と前記検出部とに検出タイミングと発光タイミングを変えながら複数回の光送受信を行わせることで、タイムオブフライトを用いて前記人体頭部と前記検出部との距離を推定し、
前記解析部は、前記検出部が検出した前記赤外光に基づき、脳機能状態を推定する、
光脳機能計測装置。
【請求項２】
前記制御部は、推定された前記距離に基づき前記検出部の感度を補正する、請求項１に記載の光脳機能計測装置。
【請求項３】
前記検出部は、縦横に２次元配列された複数の検出素子を含み、
前記複数の検出素子は、前記人体頭部から出射された前記赤外光の強度分布を示す画像と、前記人体頭部の画像を取得する、請求項１又は２に記載の光脳機能計測装置。
【請求項４】
前記解析部は、前記人体頭部から出射された前記赤外光の強度分布を示す画像と、前記人体頭部の画像を重畳した画像を出力する、請求項３に記載の光脳機能計測装置。
【請求項５】
前記人体頭部の画像は可視画像である、請求項３又は４に記載の光脳機能計測装置。
【請求項６】
前記人体頭部の画像は近赤外画像である、請求項３又は４に記載の光脳機能計測装置。
【請求項７】
被験者に対して音声また映像による指示を行うインターフェースをさらに備え、
前記指示は、頭部を動かす指示、及び額にかかる前髪を上げる指示の少なくとも１つを含む、請求項１乃至６のいずれか１項に記載の光脳機能計測装置。
【請求項８】
前記指示は、額にかかる前髪を上げる指示である、請求項７に記載の光脳機能計測装置。
【請求項９】
前記光源は、半導体レーザーである、請求項１乃至８のいずれか１項に記載の光脳機能計測装置。